(57)【特許請求の範囲】
【請求項１】
細長形状部（５）とこれを出し入れ自在に収納すべくベッド（３）の下方に取り付けられたガイド（４）を有して成る患者が医療従事者の助けを借りずに制御可能でベッド（３）の少なくとも片側側部に設けられた可動式手すり（１、２）を具え、前記細長形状部（５）はこれをベッド（３）の下部空間に収容しあるいは引き出すためのガイド（４）に進退可能に設けられ、前記ベッド（３）の下部空間からの引き出し時には係止装置（１３）によりしっかりと垂直を維持できるようにしたベッドにおいて、前記細長形状部（５）は、その全長に沿って前記ガイド（４）に挿入・引き出し可能に構成され、前記細長形状部（５）の底部（９）にはピボット（１４）を通すために前記細長形状部（５）の軸方向へ長手状に開口部（１５）が形成され、このピボット（１４）は内側部（１６）を有する前記細長形状部（５）に回転可能に接続される一方、前記内側部（１６）は前記細長形状部（５）の伸長時に前記ガイド（４）内に留まるように構成される一方、前記係止装置（１３）は、前記細長形状部（５）を前記ガイド（４）から引き出して垂直の位置へ回動させての固定に際して、前記細長形状部（５）の前記底部（９）を抱持する係止空間（８）を具えて構成したことを特徴とするベッド。
【請求項２】
請求項１記載のベッドにおいて、前記細長形状部（５）には、前記ベッド（３）から患者が起き上がる際の支えとなるホルダ（６）を設けたことを特徴とするベッド。
【請求項３】
請求項１記載のベッドにおいて、ベッドには患者の起き上がりを容易にするためにベッド（３）の床面高さを調節するサーボ駆動機構を具え、このサーボ機構を制御できるドライバ（７）をホルダ（６）に設けたことを特徴とするベッド。
【請求項４】
請求項１ないし３いずれか記載のベッドにおいて、前記ガイド（４）は前記ベッド（３）の床面の下方に設置されたことを特徴とするベッド。
【請求項５】
請求項１ないし４いずれか記載のベッドにおいて、前記ガイド（４）は、前記細長形状部（５）の横断面形状に対応する横断面形状を有するスリーブにより形成したことを特徴とするベッド。
【請求項６】
請求項１ないし５いずれか記載のベッドにおいて、前記細長形状部（５）には、食事台（１１）の固定具（１０）を設けたことを特徴とするベッド。
【請求項７】
請求項１ないし６いずれか記載のベッドにおいて、前記ベッド（３）の少なくともの一方の側部（１２）には、可動式手すり（１、２）のうち少なくとも一方が設置されたことを特徴とするベッド。
【請求項８】
請求項７に記載のベッドにおいて、前記側部（１２）には１対の前記可動式手すり（１、２）を設置したことを特徴とするベッド。
【発明の詳細な説明】
【技術分野】
【０００１】
本発明は、患者が病院スタッフの助けを借りずに制御する可動式手すりを具えるベッド、詳しくは非使用時にはベッドの床面の下部に収納される可動式手すりを具えたベッドに関する。
【背景技術】
【０００２】
病院施設、社会的介護および高齢者介護、または場合により在宅患者介護用に指定される今日までのところ公知の標準的なベッドの大部分は、可動式手すりを装備していない。ベッドが手すりを装備している場合、その手すりの配置は、患者が一人で手すりを制御できないという事実において実質的に欠陥を有する。これは、前述の手すりがそれから期待できる機能、すなわち病院スタッフの介助を必要としないという機能を果たしていないということである。このように設計された手すりは、患者がベッドを離れるとき、病院スタッフのいかなる介助も受けないで一人で起き上がること、および自分の足で立ち上がることができるようにすることで、患者の移動に役立つわけではない。
【発明の開示】
【発明が解決しようとする課題】
【０００３】
上述で略述した不利益は、本発明による可動式手すりによって解消される。この可動式手すりを、病院職員のいかなる介助も受けずに患者が自ら制御する。可動式手すりは細長形状部から成る。本発明の中心はガイドに設置された細長形状部に基づくものであり、このガイドにより、細長形状部はベッドの床面の下部空間に摺動して出入りすることができる。細長形状部がベッドの床面の下部空間から摺動して出して、ほぼ垂直の位置に設定して係止具によりこの位置に固定される。
【０００４】
細長形状部は、その長手方向軸にしっかりと直立するハンドルを具えるのが好ましい。これは起き上がろうとしている患者にとって、支えとしての役割を果たす。
【０００５】
可動式手すりは、ベッドの床面の高さを調節するためのサーボ駆動制御を備え、このサーボ駆動制御は、患者がハンドルを握っているときにハンドル上の患者の親指が当たる位置に設けるのが好ましい。
【０００６】
また、可動式手すりにはベッドの床面の下方に取り付けられたガイドを設ける。
【０００７】
この可動式手すりは、細長形状部の横断面形状にほぼ対応する横断面形状を有するスリーブにより構成されるガイドを有することができる。
【０００８】
この可動式手すりは、細長形状部を直立させるための係止具を具える。  この係止具はスリーブの一部である空間で構成され、細長形状部を垂直の位置に設定すると、その細長形状部の底部がその空間内に係止される。
【０００９】
可動式手すりの実施形態の１つとして、細長形状部は食事用のボードを支持固定する固定具を具えることがある。
【課題を解決するための手段】
【００１０】
提示した本発明の主題はまた、ベッド、主として少なくともその片側側部に可動式手すりを装備する病院用ベッドである。
【００１１】
上述のベッドが少なくとも片側に１対の可動式手すりを装備する場合、より有利である。
【発明を実施するための最良の形態】
【００１２】
本発明を図面においてより詳細に説明する。
【００１３】
ベッドの平らな床面と、ほぼ垂直の位置に位置決めされて係止された可動式手すり１および可動式手すり２とを備えるベッド１は、図１に不等角投影図で示す。図１に示す可動式手すり１および可動式手すり２は、細長形状部５の上部にホルダ６を有し、患者がベッド３から起き上がるための支えとなる。
図２には、平らな床面と、やはり垂直の位置に係止された可動式手すり１および可動式手すり２を具えるベッド３の側面図を示す。  図２はまた、患者の選択によってベッドの床面を低、中、および高の位置に設定できるベッド３を示している。
図３は、平らな床面を備え、細長形状部５から成る２本の可動式手すり１および可動式手すり２を装備するベッド３の右側１２から、患者が起き上がろうとしている図を表す。
静止状態において、細長形状部５はピボット１４によりその内側部１６に回転可能に接続され、この場合においてそれらは、図６ａ、図６ｂ、図６ｃ、および図６ｄに見られるように、スリーブとして作られたガイド４に伸縮自在に挿入される。可動式手すり１は、図６ａでは完全に挿入された位置で示され、一方、図６ｂでは、可動式手すり１はガイド４から突出し、ピボット１４の周りを垂直の位置まで回転できる状態にある。
ガイド４は、細長形状部５およびその内側部１６をその軸方向軸方向へと後退させ、ベッド３の床面の下方に位置させる。患者自身は、他者のいかなる助けも借りずに、可動式手すり１および可動式手すり２をガイド４からベッド３の外郭部を超えて引き出し、それらを垂直の位置まで傾けて係止装置１３により係止することができるが、このことは図６ｃおよび図６ｄから明白である。
係止装置１３は、細長形状部５の下側部である底部９、およびガイド４の一部であることもできる係止空間８により構成されている。  細長形状部の前記底部９には、細長形状部５の軸方向へ長手状に形成された開口部１５が設けられ、細長形状部５の内側部１６により支持されたピボット１４がそこを通り、細長形状部５の伸長時にはガイド４内に留まって、例えばバックストップなどによりガイド４内の細長形状部５の端部位置は制限され、ガイド４から細長形状部５が完全に伸長するのを防止するようになっている。
可動式手すり１および可動式手すり２に係る細長形状部５は、伸長した後ピボット１４の周りを垂直の位置まで回転し、その後、係止空間８までの下向き方向の軸方向移動により前記底部９が挿入される。この運動は、開口部１５により容易になる。係止空間８は細長形状部５の底部９を包囲し、それにより底部９を所定の位置に固定する。可動式手すり１および可動式手すり２に係る細長形状部５は格納時に、ベッドの床面の下方のガイド４の方に後退してその軸方向に持ち上げられ、ピボット１４の周りに傾いてガイド４に摺動して入る。
【００１４】
可動式手すり１および可動式手すり２の作動中に、ベッド３の床面のフレームが例えば低の位置で、背中部が上方位置に持ち上げられると、それはベッド３から離れるには好適な位置であり、患者はまず可動式手すり１および可動式手すり２を操作する。
患者は起き上がってベッド３から両脚を下ろした後、次に、都合の良いことにはベッド３の下、患者の大腿部を載せている部分の下に位置する可動式手すり１および可動式手すり２を持ち上げる。起き上がるとき、患者は、可動式手すり１および可動式手すり２の上端部に位置するホルダ６に寄り掛かることができる。  ホルダ６の端部、患者の親指の反対側にはドライバ７が位置し、それにより患者はサーボ駆動を制御して、図２および図３に示すように患者が楽に起き上がれるような高さにベッド３の床面を設定することができる。
【００１５】
可動式手すり１および可動式手すり２がは、ベッド３の側部１２の双方に設けられるときは、図１、図２、図４および図５に示すように床面の側端両側に２対設置する。
あるいは、図３に示すように、可動式手すり１および可動式手すり２は、ベッド３の片側だけに固定することもできる。  二対が装着された場合、患者はベッド３の両側から起き上がることができ、一対の場合、患者はベッド３からその片側へしか起き上がることはできない。
【００１６】
可動式手すり１および可動式手すり２は、さらに別の機能を果たすことができ、そのためには、全部で４本の可動式手すり１および可動式手すり２を固定する必要がある。これら４本の可動式手すりは、食事台１１を２本の対向する可動式手すり１および可動式手すり２に挿入することにより、ベッド３に食事台１１を設置することができる。このように食事台１１は、患者のすぐ隣に設置できる。
図７は、可動式手すり１および可動式手すり２の固定具１０に挿入された食事台１１の詳細を示す。ここでは、固定具１０は溝で構成されている。図８は、患者がサーボ駆動を制御するためのドライバ７の詳細、およびその場合におけるベッドの荷重面の高さを示す。
【産業上の利用可能性】
【００１７】
開示した本発明は、病院施設、将来的には社会的介護および高齢者介護用にさえ指定される、従来にない可動式手すりを具えたベッドを実現する。病院の領域では、標準的な病棟での利用が主になると想定される。他の部門での利用可能性は、私立の療養所もしくはクリニック、老人ホーム、社会的介護施設、および社会的介護もしくは高齢者介護、または患者の在宅介護のための他の機関で使用されるベッドが推定される。  開示した本発明に係る可動式手すり１および可動式手すり２を具えたベッドにより、ベッドから安全かつ快適に起き上がること、再び座ること、および体を横たえることができ、それにより患者の自立性が高まる。
【図面の簡単な説明】
【００１８】
【図１】垂直の位置に設定した可動式手すりを備え、ベッドの床面が真っ直ぐなベッドの不等角投影図を示す。
【図２】垂直の位置に設定した可動式手すりを備え、患者の個人的選択によりベッドの床面を低、中、および高の高さに設定可能である、ベッドの床面が真っ直ぐなベッドの側面図を示す。
【図３】２本の可動式手すりを装備したベッドから、患者が起き上がろうとしている図を示す。
【図４】ベッドの床面が連結式で、かつ食事台が挿入された状態のベッドの不等角投影図を示す。
【図５】食事台が２本の可動式手すりに挿入され、ベッドの床面が連結式のベッドの側面図を示す。
【図６ａ】ベッドの床面の下方のガイドに摺動して入った位置にある可動式手すりの詳細を示す。
【図６ｂ】ガイドから摺動して出た状態の可動式手すりを示す。
【図６ｃ】係止する前の、機能位置に設定された可動式手すりの位置を示す。
【図６ｄ】係止した後の、機能位置に設定された可動式手すりの位置を示す。
【図７】可動式手すりの固定具に挿入された食事台の詳細を示す。
【図８】患者がベッドの荷重面の高さを調節するのに役立つ可動式手すりのハンドル上に設置されるスイッチの詳細を示す。
【図１】
0004914839.tif 000002
【図２】
0004914839.tif 000003
【図３】
0004914839.tif 000004
【図４】
0004914839.tif 000005
【図５】
0004914839.tif 000006
【図６ａ】
0004914839.tif 000007
【図６ｂ】
0004914839.tif 000008
【図６ｃ】
0004914839.tif 000009
【図６ｄ】
0004914839.tif 000010
【図７】
0004914839.tif 000011
【図８】
0004914839.tif 000012